(57)【特許請求の範囲】
【請求項１】
両側に上鏡と下鏡を有し、上鏡の中央部に形成された穴に口金が取り付けられ、少なくとも一方の鏡に凹陥による変形を生じた生ビール樽を支持する支持手段と、上記鏡における外周部の一部分の原形に沿う形状の修理面を有する先端側が上記口金から上記生ビール樽内に挿入される修理具と、この修理具を移動させ、上記修理面を上記支持手段により支持されている上記生ビール樽の変形部に押圧させて復元させる移動手段とを備えた生ビール樽の修理装置。
【請求項２】
修理具の修理面が上鏡における外周部の一部分の原形に沿うように形成され、この修理具が移動手段により移動されることにより、上記修理面が上記上鏡の変形部に押圧される請求項１記載の生ビール樽の修理装置。
【請求項３】
修理具の修理面が下鏡における外周面の一部分の原形に沿うように形成され、この修理具が移動手段により移動されることにより、上記修理面が上記下鏡の変形部に押圧される請求項１記載の生ビール樽の修理装置。
【請求項４】
上鏡における外周部の一部分の原形に沿うように形成された修理面を有する第１の修理具と、下鏡における外周部の一部分の原形に沿うように形成された修理面を有する第２の修理具とが選択的に使用され、上記第１の修理具が移動手段により引かれることにより、上記修理面が上記上鏡の変形部に押圧され、上記第２の修理具が移動手段により押されることにより、上記下鏡の変形部に押圧される請求項１記載の生ビール樽の修理装置。
【請求項５】
移動手段が、回転可能に支持されたハンドルと、このハンドルの回転操作により修理具を移動させるねじ送り機構とを備えた請求項１ないし４のいずれかに記載の生ビール樽の修理装置。
【発明の詳細な説明】
【０００１】
【産業上の利用分野】
本発明は、業務用の生ビール樽における上鏡や下鏡に凹陥による変形を生じた場合にその変形部を修理（修正）するために用いる生ビール樽の修理（修正）装置に関する。
【０００２】
【従来の技術】
従来の業務用の生ビール樽においては、ステンレス製の生ビール樽本体の上端部外周と下端部外周とにステンレス製の円筒状上部スカート壁と下部スカート壁の基部を溶接により固定していた。
【０００３】
このように構成された生ビール樽によれば、積卸しに際し、生ビール樽が転倒落下しても、多くの場合、ステンレス製の上部スカート壁、若しくは下部スカート壁により衝撃を受け止め、生ビール樽本体の上鏡、若しくは下鏡の凹陥を防止することができる。したがって、生ビール樽本体の容量が減少するおそれがないので、上部スカート壁、若しくは下部スカート壁の変形部を修正することにより繰り返して使用することができる。しかしながら、上部スカート壁と下部スカート壁をステンレスにより形成すると、生ビール樽の積卸しおよび段積み等に際し、乱雑に扱うと衝撃音が発生する。この衝撃音の発生を防止するため、丁寧に扱うと作業能率に劣るなどの問題がある。
【０００４】
これらの問題を解消するため、ステンレス製の生ビール樽本体の上端部外周と下端部外周に硬質ゴムから成る円筒状の上部スカート壁と下部スカート壁を一体的に設けた生ビール樽が提供されている。
【０００５】
このように構成された生ビール樽によれば、積卸しおよび段積み等に際し、衝撃音の発生を防止し、作業能率を向上させることができる。しかしながら、積卸しおよび段積み等に際し、生ビール樽が転倒して落下すると、上部スカート壁、若しくは下部スカート壁が弾性変形して衝撃が上鏡、若しくは下鏡に加わりやすく、特に、周辺部が凹陥するおそれがある。この凹陥に伴い、生ビール樽の容量が減少し、修理することができなければ使用することができないため、非経済的である。
【０００６】
そこで、従来において、上鏡や下鏡が凹陥により変形した場合には、上鏡の中央部の穴から受具を挿入し、外面からハンマーで叩くなどの手作業により修理していた。
【０００７】
【発明が解決しようとする課題】
しかしながら、従来のように上鏡や下鏡の周辺部の変形を工具を用いて手作業で修理するには熟練を要するばかりでなく、作業に多くの時間を要し、作業能率に劣り、また、原形に近い状態に修理するには限界がある。
【０００８】
本発明は、上記のような従来の問題を解決するものであり、生ビール樽における上鏡や下鏡の周辺部に生じた凹陥による変形部を熟練を要することなく、簡単に、しかも、原形に近い状態に修理することができ、したがって、作業能率を向上させるとともに、外観を向上させることができるようにした生ビール樽の修理装置を提供することを目的をするものである。
【０００９】
【課題を解決するための手段】
上記目的を達成するための本発明の技術的手段は、両側に上鏡と下鏡を有し、鏡の中央部に形成された穴に口金が取り付けられ、少なくとも一方の鏡に凹陥による変形を生じた生ビール樽を支持する支持手段と、上記鏡における外周部の一部分の原形に沿う形状の修理面を有する先端側が上記口金から上記生ビール樽内に挿入される修理具と、この修理具を移動させ、上記修理面を上記支持手段により支持されている上記生ビール樽の変形部に押圧させて復元させる移動手段とを備えたものである。
【００１０】
そして、上記技術的手段において、修理具の修理面が上鏡における外周部の一部分の原形に沿うように形成され、この修理具が移動手段により移動されることにより、上記修理面が上記上鏡の変形部に押圧され、または修理具の修理面が下鏡における外周面の一部分の原形に沿うように形成され、この修理具が移動手段により移動されることにより、上記修理面が上記下鏡の変形部に押圧され、または上鏡における外周部の一部分の原形に沿うように形成された修理面を有する第１の修理具と、下鏡における外周部の一部分の原形に沿うように形成された修理面を有する第２の修理具とが選択的に使用され、上記第１の修理具が移動手段により引かれることにより、上記修理面が上記上鏡の変形部に押圧され、上記第２の修理具が移動手段により押されることにより、上記修理部が上記下鏡の変形部に押圧されるように構成するのが好ましい。
【００１１】
また、移動手段として、回転可能に支持されたハンドルと、このハンドルの回転操作により修理具を移動させるねじ送り機構とを備えることができる。
【００１２】
【作用】
上記のように構成された本発明によれば、鏡に凹陥による変形を生じた生ビール樽内にその口金から修理具の先端側を挿入させた状態で、生ビール樽を支持手段により支持させるとともに、鏡における外周部の一部分の原形に沿う形状の修理面と変形部を対向させ、移動手段により修理具を移動させ、支持手段により支持されている生ビール樽の変形部に修理面を押圧させて復元させるので、変形部を熟練を要することなく、簡単に、しかも、原形に近い状態に修理することができる。
【００１３】
【実施例】
以下、本発明の一実施例について図面を参照しながら説明する。
図１および図２は本発明の一実施例における生ビール樽の修理装置を示し、図１は生ビール樽の上鏡の変形部を修理する状態の断面図、図２は生ビール樽の下鏡の変形部を修理する状態の断面図、図３（ａ）は生ビール樽の一例を示す平面図、図３（ｂ）は図３（ａ）のＡ−Ａ矢視断面図である。
【００１４】
まず、生ビール樽の一例について説明する。図３（ａ）、（ｂ）に示すように、生ビール樽１は生ビール樽本体２と、上部スカート壁３と、下部スカート壁４とから構成されている。
【００１５】
生ビール樽本体２は胴部５と、上鏡６と、下鏡７とがステンレスにより形成されている。図示例においては、胴部５の上半部と球面状の上鏡６とが深絞り加工により一体に形成され、胴部５の下半部と球面状の下鏡７とが深絞り加工により一体に形成され、胴部５の上半部と下半部とが突き合わされて溶接されている。胴部５の外周には補強用リブ８が一本、若しくは複数本形成されている。上鏡６には補強用リブ（ビード）９が複数条（図示例では８条）、中央部から放射状に形成され、各リブ９の先端は周縁部に達しないように設定されている。各リブ９は上方へ突出され、両側壁が上端から下端に至るに従い、それらの間隔が台形状に拡がるように傾斜され、各突出上面が中央部で繋がり、その中央に穴１０が形成されている。この穴９にはステンレス製の口金１１の基部が溶接により取り付けられている。
【００１６】
上鏡６の外周部上にプライマーを介してゴム、例えば、硬度が７５〜９５、好ましくは８５〜９５の硬質ゴムから成る円筒状の上部スカート壁３がインジェクション成形により一体的に設けられ、外周４箇所に排水を兼用する把持用の穴１２が形成されている。下鏡７の外周部上にプライマーを介して上記と同様の硬質ゴムから成る円筒状の下部スカート壁４がインジェクション成形により一体的に設けられ、必要に応じて排水用の穴１３が形成されている。
【００１７】
このように構成された生ビール樽１は、下位の生ビール樽１の上部スカート壁３の上部内側に上位の生ビール樽１の下部スカート壁４を係合することにより段積みすることができる。そして、上記のように段積みされる場合は勿論のこと、１個ずつ並べられる場合にも、その積卸しに際し、下部スカート壁４、上部スカート壁３が硬質ゴム製であるので、衝突による衝撃音の発生を防止することができる。しかしながら、積卸しの際、生ビール樽１が転倒して上部側から落下し、若しくは下部側から落下すると、上部スカート壁３、若しくは下部スカート壁４が弾性変形して衝撃が上鏡６、若しくは下鏡７に加わり、図１、若しくは図２に示すように、特に、周辺部に凹陥による変形部１４、若しくは凹陥による変形部１５が生じることがある。そこで、これらの変形部１４、１５を本発明の修理装置で修理しようとするものである。
【００１８】
次に、本発明実施例の修理（修正）装置について説明する。図１および図２に示すように、基台２１の中間部上に支持板２２が固定されている。基台２１の一側部上には支持板２２と対向して支持板２３がねじ２４により取外し可能に固定されている。基台２１上における支持板２２と２３の対向側の下側には保持台２５と２６が固定されている。各保持台２５と２６には支持板２２と２３の対向面に沿って補助板２７と２８が離脱可能に挿入されて固定状態に保持されるようになっている。基台２１上における保持台２５と２６の間には支持台２９が固定されている。そして、生ビール樽１は横向きでその補強用リブ８が支持台２９上に載せられ、上部スカート壁３が補助板２７に当接し、下部スカート壁４が補助板２８に当接し、生ビール樽１の高さ方向が補助板２７と２８により挟まれた状態に支持されるようになっている。
【００１９】
基台２１上には支持台２３の反対側で一対の支持板３０、３１が所望の間隔をおいて固定され、各支持台３０、３１に対向して形成された穴３２、３３内にはブシュ３４、３５が固定されている。支持板２２にはブシュ３４、３５に対応して穴３６が形成され、穴３６内にキー３７が取り付けられている。円柱状の駆動軸３８は一側に雄ねじ３９が形成され、他側に軸心方向に沿ってキー溝４０が形成されている。この駆動軸３８は雄ねじ３９側がブシュ３４、３５に挿通され、他側が支持板２２の穴３６に挿通されるとともに、キー溝４０がキー３７に係合され、軸心方向にのみ移動可能に支持されている。支持板３０、３１およびブシュ３４、３５の間でハンドル４１の中央部に形成された雌ねじ４２が駆動軸３８の雄ねじ３９に螺合され、ハンドル４１が回転のみ可能に支持されている。したがって、ハンドル４１を任意の方向に回転させることにより、その雌ねじ４２に雄ねじ３９が螺合された駆動軸３８をキー溝４０とキー３７の案内により軸心方向にのみ前進、若しくは後退させることができる。
【００２０】
駆動軸３８の先端には支持板２２の大径の凹入穴４３内においてフランジ４４が取り付けられ、このフランジ４４には上鏡６に変形部１４を修理するための修理具４５の基部のフランジ４６が補助板２７の穴４７に挿通されてボルト、ナット４８により取外し可能に取り付けられ（図１参照）、若しくは下鏡７の変形部１５を修理するための修理具４９の基部のフランジ５０がボルト、ナット４８により取外し可能に取り付けられる（図２参照）。
【００２１】
修理具４５は中間部でほぼ直角状に曲げられ、先端内側に上鏡６の外周部の周方向一部分の原形に沿う球面状の修理面５１を有している。そして、修理具４５はその先端側が生ビール樽本体２内に口金１１および穴１０から挿入され、修理面５１が上鏡６の変形部１４に対応されるように設定されている。修理具４９は修理具４５より長く形成され、先端部でほぼ直角状に曲げられ、先端外側に下鏡７の外周部の周方向一部分の原形に沿う球面状の修理面５２を有している。そして、修理具４９はその先端側が生ビール樽本体２内に口金１１および穴１０から挿入され、修理面５２が下鏡７の変形部１５に対応されるように設定されている。
【００２２】
以上の構成において、以下、その修理動作について説明する。
まず、図１に示すように、生ビール樽１の上鏡６の外周部に凹陥により生じた変形部１４を修理する場合について説明する。あらかじめ、支持板２３および補助板２７、２８を外して生ビール樽１の取扱い空間を広げておき、駆動軸３８のフランジ４４に修理具４５のフランジ４６をボルト、ナット４８により取り付ける。このとき、修理面５１側、すなわち、先端側が上方に位置するように取り付ける。次に、生ビール樽１を口金１１が下方に位置するように傾斜させ、口金１１を修理具４５の先端に近づけ、口金１１、穴１０から修理具４５の先端部を生ビール樽本体２内に挿入させながら生ビール樽１を横向きにし、補強用リブ８を支持台２９上に載せる。次に、生ビール樽１を軸心の回りで所望角度回転させ、変形部１４を修理面５１に対応させる。次に、支持板２３をねじ２４により基台２１に取り付ける。次に、支持板２２と２３の対向面に沿って補助板２７と２８を挿入して保持台２５、２６により保持させ、生ビール樽１を高さ方向で移動しないように挟む。
【００２３】
このようにして準備が完了すると、ハンドル４１を一方に回転させ、その雌ねじ４２に雄ねじ３９が螺合している駆動軸３８およびこの駆動軸３８に連結されている修理具４５をキー溝４０とキー３７の案内により矢印方向に後退させる（引く）。これにより修理面５１を上鏡６の変形部１４に押圧させると、生ビール樽１は補助板２７により移動が規制されているので、変形部１４を外方へ向かって突出させて球面状に復元させることができる。
【００２４】
復元後、ハンドル４１を他方に回転させ、駆動軸３８および修理具４５を反矢印方向に移動させ、修理面５１を上鏡６の内面から離隔させる。次に、補助板２７、２８および支持板２３を外す。次に、生ビール樽１を傾けながら修理具４５から外す。
【００２５】
次に、図２に示すように、生ビール樽１の下鏡７の外周部に凹陥により生じた変形部１５を修理する場合について説明する。修理具４５のフランジ４６を駆動軸３８のフランジ４４から外し、駆動軸３８のフランジ４４に修理具４９のフランジ５０をボルト、ナット４８により取り付ける。このとき、修理面５２側、すなわち、先端側が上方に位置するように取り付ける。次に、生ビール樽１を口金１１が下方に位置するように傾斜させ、口金１１を修理具４９の先端に近づけ、口金１１、穴１０から修理具４９の先端部を生ビール樽本体２内に挿入させながら生ビール樽１を横向きにし、補強用リブ８を支持台２９上に載せる。次に、生ビール樽１を軸心の回りで所望角度回転させ、変形部１５を修理面５２に対応させる。次に、支持板２３をねじ２４により基台２１に取り付ける。次に、支持板２２と２３の対向面に沿って補助板２７と２８を挿入して保持台２５、２６により保持させ、生ビール樽１を高さ方向で移動しないように挟む。
【００２６】
このようにして準備が完了すると、ハンドル４１を一方に回転させ、その雌ねじ４２に雄ねじ３９が螺合している駆動軸３８およびこの駆動軸３８に連結されている修理具４９をキー溝４０とキー３７の案内により矢印方向に前進させる（押す）。これにより修理面５２を下鏡７の変形部１５に押圧させると、生ビール樽１は補助板２８により移動が規制されているので、変形部１５を外方へ向かって突出させて球面状に復元させることができる。
【００２７】
復元後、ハンドル４１を他方に回転させ、駆動軸３８および修理具４９を反矢印方向に移動させ、修理面５２を下鏡７の内面から離隔させる。次に、補助板２７、２８および支持板２３を外す。次に、生ビール樽１を傾けながら修理具４９から外す。
【００２８】
なお、上記実施例では、上鏡用の修理具４５と下鏡用の修理具４９を選択使用して上鏡６と下鏡７の修理に兼用するようにしているが、一本の修理具に上鏡用と下鏡用の修理面５１と５２を形成し、修理具の移動距離を長く設定することにより兼用するようにしてもよい。また、上鏡６と下鏡７の変形部１４と１５を別々の修理装置により修理するようにしてもよい。また、修理具４５、４９の取付け角度を任意に変更し得るようにすれば、上鏡６と下鏡７の変形部１４と１５の修理位置を上方に設定するだけでなく、下方などの任意の位置に設定することができる。また、上記実施例では、駆動軸３８をキー溝４０とキー３７の係合により軸方向にのみ移動させるようにしているが、このほか、角柱状部と角穴との嵌合などにより軸方向にのみ移動させるようにしてもよい。また、生ビール樽１の支持手段も支持板２２、２３、補助板２７、２８、支持台２９等の組み合わせに限定されるものではない。また、上記実施例では、修理具４５、４９をハンドル４１の回転操作によりねじ送り機構を用いて移動させるようにしているが、このほか、例えば、油圧シリンダ装置、エアシリンダ装置等、任意の手段を用いることができる。更に、生ビール樽１は上部スカート壁３と下部スカート壁４に硬質ゴムを用いた場合に限らず、ステンレスを用いた場合にも上鏡６や下鏡７に凹陥による変形を生じることがあるので、このような生ビール樽１の変形の修理にも適用することができる。このほか、本発明は、その基本的技術的思想を逸脱しない範囲で種々設計変更することができる。
【００２９】
【発明の効果】
以上説明したように本発明によれば、鏡に凹陥による変形を生じた生ビール樽内にその口金から修理具の先端側を挿入させた状態で、生ビール樽を支持手段により支持させるとともに、鏡における外周部の一部分の原形に沿う形状の修理面と変形部を対向させ、移動手段により修理具を移動させ、支持手段により支持されている生ビール樽の変形部に修理面を押圧させて復元させるので、変形部を熟練を要することなく、簡単に、しかも、原形に近い状態に修理することができる。したがって、作業能率を向上させるとともに、外観を向上させることができる。
【００３０】
また、修理具の修理面が上鏡における外周部の一部分の原形に沿うように形成され、この修理具が移動手段により移動されることにより、上記修理面が上記上鏡の変形部に押圧され、また、修理具の修理面が下鏡における外周面の一部分の原形に沿うように形成され、この修理具が移動手段により移動されることにより、上記修理面が上記下鏡の変形部に押圧されるように専用に構成することにより、構成の簡素化を図ることができる。
【００３１】
また、上鏡における外周部の一部分の原形に沿うように形成された修理面を有する第１の修理具と、下鏡における外周部の一部分の原形に沿うように形成された修理面を有する第２の修理具とが選択的に使用され、上記第１の修理具が移動手段により引かれることにより、上記修理面が上記上鏡の変形部に押圧され、上記第２の修理具が移動手段により押されることにより、上記修理面が上記下鏡の変形部に押圧されるように構成することにより、第１、第２の修理具の移動距離を短くして上鏡と下鏡の両方の修理に兼用することができ、装置全体の小型化を図ることができる。
【００３２】
また、移動手段として、回転可能に支持されたハンドルと、このハンドルの回転操作により修理具を移動させるねじ送り機構とを備えることにより、手動により修理具を移動させることができ、低コスト化を図ることができる。
【図面の簡単な説明】
【図１】本発明の一実施例における生ビール樽の修理装置を示し、生ビール樽の上鏡の変形部を修理する状態の断面図である。
【図２】同修理装置を示し、生ビール樽の下鏡の変形部を修理する状態の断面図である。
【図３】（ａ）は生ビール樽の一例を示す平面図である。
（ｂ）は（ａ）のＡ−Ａ矢視断面図である。
【符号の説明】
１  生ビール樽
２  生ビール樽本体
３  上部スカート壁
４  下部スカート壁
６  上鏡
７  下鏡
１４  変形部
１５  変形部
２２  支持板
２３  支持板
２７  補助板
２８  補助板
２９  支持台
３８  駆動軸
４１  ハンドル
４５  修理具
４９  修理具
５１  修理面
５２  修理面
【図１】
0003572331.tif 000002
【図２】
0003572331.tif 000003
【図３】
0003572331.tif 000004